(57)【要約】【課題】  噴霧器において、霧状内容液の吐出終了後に、頭部の外気に接している吐出口における内容液の残留、ひいてはその乾燥固化を防止し、吐出口のつまりを生ずることなく、霧状内容液の繰り返し吐出性を確保すること。【解決手段】  噴霧器１０であって、液室Ｌから気液混合部８０への内容液の供給が終了した後も、空気室Ａから気液混合部８０への空気の供給が行なわれるように構成したもの。【選択図】  図１
2011200766.tif 000002
【特許請求の範囲】
【請求項１】
容器本体の口部に固定したキャップに対し往復動可能に設けられる頭部を有し、頭部の往復動により、容積可変の液室から液吐出路を経由して内容液が、容積可変の空気室から空気送出路を経由して空気が、それぞれ気液混合部に供給され、
この内容液が気液混合部で空気と混合されて霧状にされ、この霧状内容液が頭部に設けた吐出口から吐出可能にされる噴霧器であって、
前記液室から気液混合部への内容液の供給が終了した後も、空気室から気液混合部への空気の供給が行なわれるように構成したことを特徴とする噴霧器。
【請求項２】
容器本体の口部に固定したキャップに対し往復動可能に設けられる頭部と容器本体の内部に設置されるシリンダを有し、頭部の往復動により、シリンダの小径部の内部に形成される容積可変の液室から液吐出路を経由して内容液が、シリンダの大径部の内部に形成される容積可変の空気室から空気送出路を経由して空気が、それぞれ気液混合部に供給され、
この内容液が気液混合部で空気と混合されて霧状にされ、この霧状内容液が頭部に設けた吐出口から吐出可能にされるものであり、
頭部の往復動に連動する液ピストンがシリンダの小径部の内壁に摺動可能に挿入され、該小径部の内部の液ピストンの正面側に該液ピストンにより拡縮される液室が形成され、ピストンの内周に摩擦嵌合するポペットの下端バルブが小径部における容器本体の内部に臨む下端側弁座に接離して液室を容器本体の内部に対し開閉し、該ピストンにより拡張されるとともにポペットの下端バルブにより開かれる液室に、容器本体の内部の内容液が該小径部に接続されているディップチューブを介して吸入され、液ピストンにより収縮されるとともにポペットの下端バルブにより閉じられる液室の内容液が、液吐出路に設けてある逆止弁を開いて気液混合部に供給され、
頭部の往復動に連動するエアピストンがシリンダの大径部の内部に摺動可能に配置され、シリンダの大径部の内部のエアピストンの正面側に該エアピストンにより拡縮される空気室が形成され、エアピストンにより拡張される空気室に外部の空気が吸入され、エアピストンにより収縮される空気室の空気が気液混合部に供給される噴霧器であって、
前記液吐出路の導通を遮断する液止め部を備え、
頭部の往動により、空気室の空気が空気送出路を経由して気液混合部に供給され、かつ液室の内容液が液吐出路を経由して気液混合部に供給されている過程で、液吐出路の導通だけを液止め部が遮断し、液室から気液混合部への内容液の供給が終了した後も、空気室から気液混合部への空気の供給が行なわれるように構成したことを特徴とする噴霧器。
【請求項３】
前記液止め部がポペットの上端液止め部からなり、液吐出路に設けてある逆止弁により開閉される上端側弁座の流路に該上端液止め部が嵌合してその導通を遮断する請求項２に記載の噴霧器。
【請求項４】
前記液止め部がポペットの上端液止め部からなり、液吐出路に設けてある逆止弁により開閉される上端側弁座の流路に該上端液止め部が挿入され、該上端液止め部により該上端側弁座から持ち上げられる逆止弁に付帯する液止め弁により、液吐出路の気液混合部寄りの流路を閉塞してその導通を遮断する請求項２に記載の噴霧器。
【請求項５】
前記内容液が高分子を含む液体である請求項１〜４のいずれかに記載の噴霧器。
【発明の詳細な説明】
【技術分野】
【０００１】
本発明は噴霧器に関する。
【背景技術】
【０００２】
噴霧器として、特許文献１に記載の如く、容器本体の口部に固定したキャップに対し往復動可能に設けられる頭部を有し、頭部の押し込みにより、容積可変の液室から液吐出路を経由して内容液が、容積可変の空気室から空気送出路を経由して空気が、それぞれ気液混合部に供給され、この内容液が気液混合部で空気と混合されて霧状にされ、この霧状内容液が頭部に設けた吐出口から吐出されるものがある。
【先行技術文献】
【特許文献】
【０００３】
【特許文献１】特開2007-196168
【発明の概要】
【発明が解決しようとする課題】
【０００４】
特許文献１に記載の噴霧器では、キャップに対し往復動可能に設けられる頭部に筒状の第１のチップを設けるとともに、第１のチップの内周側に筒状の第２のチップを設ける。頭部の押し込み時に、第１のチップの内周と第２のチップの外周の間に設けた液吐出路を経由し、第１のチップの先端面に形成されている開孔から吐出される内容液は、第２のチップの内周に設けた空気送出路を経て該第２のチップの先端面に形成されている開孔から噴出される空気により引き出されて霧化され、更に第１のチップの外周に設けた空気送出路から第１のチップの先端面の前に噴出される空気により撹拌（乱流の付与）され、微細な噴霧粒子になって頭部の吐出口から吐出される、とするものである。
【０００５】
しかしながら、特許文献１に記載の噴霧器は、頭部の押し込みによる、液室から気液混合部への内容液の供給と、空気室から気液混合部への空気の供給を互いに同時に終了し、頭部の吐出口からの霧状内容液の吐出を終了するものとしている。
【０００６】
従って、噴霧器による霧状内容液の吐出が終了するまで、内容液は気液混合部で空気と混合されて頭部の吐出口を通過するものになる。このため、噴霧器による霧状内容液の吐出が終了したときには、頭部の外気に接している吐出口に内容液の残留を生じ、この残留内容液が外気の影響で乾燥固化し、吐出口のつまりを引き起こし、再吐出不能になるおそれがある。この不都合は内容液が乾燥固化し易い高分子を含む液体であるときに、特に顕著である。
【０００７】
本発明の課題は、噴霧器において、霧状内容液の吐出終了後に、頭部の外気に接している吐出口における内容液の残留、ひいてはその乾燥固化を防止し、吐出口のつまりを生ずることなく、霧状内容液の繰り返し吐出性を確保することにある。
【課題を解決するための手段】
【０００８】
請求項１の発明は、容器本体の口部に固定したキャップに対し往復動可能に設けられる頭部を有し、頭部の往復動により、容積可変の液室から液吐出路を経由して内容液が、容積可変の空気室から空気送出路を経由して空気が、それぞれ気液混合部に供給され、この内容液が気液混合部で空気と混合されて霧状にされ、この霧状内容液が頭部に設けた吐出口から吐出可能にされる噴霧器であって、前記液室から気液混合部への内容液の供給が終了した後も、空気室から気液混合部への空気の供給が行なわれるように構成したものである。
【発明の効果】
【０００９】
本発明によれば、噴霧器において、霧状内容液の吐出終了後に、頭部の外気に接している吐出口における内容液の残留、ひいてはその乾燥固化を防止し、吐出口のつまりを生ずることなく、霧状内容液の繰り返し吐出性を確保することができる。
【図面の簡単な説明】
【００１０】
【図１】図１は実施例１の噴霧器の初期状態を示す模式図である。
【図２】図２は図１の要部拡大図である。
【図３】図３は噴霧器の霧状内容液の吐出状態を示す模式図である。
【図４】図４は図３の要部拡大図である。
【図５】図５は噴霧器の空気のみ吐出状態を示す模式図である。
【図６】図６は図５の要部拡大図である。
【図７】図７は気液混合板を示す模式図である。
【図８】図８はスピンエレメントを示す模式図である。
【図９】図９は実施例２の噴霧器の初期状態を示す模式図である。
【図１０】図１０は図９の要部拡大図である。
【図１１】図１１は噴霧器の霧状内容液の吐出状態を示す模式図である。
【図１２】図１２は図１１の要部拡大図である。
【図１３】図１３は噴霧器の空気のみ吐出状態を示す模式図である。
【図１４】図１４は図１３の要部拡大図である。
【発明を実施するための形態】
【００１１】
（実施例１）（図１〜図８）
噴霧器１０は、図１、図２に示す如く、整髪料等の内容液、特に外気に触れて乾燥固化し易い高分子を含む内容液が収容された容器本体１の口部１Ａに、キャップ２０の取付部２０Ａを固定する。噴霧器１０は、容器本体１の内部にシリンダ３０を設置してある。キャップ２０の取付部２０Ａの内側部にシリンダ３０の大径部３０Ａの上端部が突当てられ、大径部３０Ａの上端部はパッキン３１とともに、キャップ２０の取付部２０Ａの内側部と容器本体１の口部１Ａとの間に挟圧固定される。シリンダ３０は大径部３０Ａに連なる小径部３０Ｂを有し、小径部３０Ｂにディップチューブ３２を嵌合して接続し、このディップチューブ３２を容器本体１の内部に挿入している。シリンダ３０は、大径部３０Ａの内部に空気室Ａを形成し、小径部３０Ｂの内部に液室Ｌを形成する。キャップ２０の筒部２０Ｂには頭部４０のステム４１が上下方向に往復動可能に挿入される。噴霧器１０は、頭部４０を往復動させることにより、容積可変の液室Ｌから内容液を、容積可変の空気室Ａから空気を、それぞれステム４１の内部に設けてある後述する気液混合部８０に供給し、この内容液が気液混合部８０で空気と混合されて霧状にされ、この霧状内容液を頭部４０に設けた吐出口４３から吐出する。
【００１２】
噴霧器１０は、頭部４０の吐出口４３に至る吐出管路４２に通ずるステム４１の下端中空部に中空ピストンガイド５１を嵌合固定し、ピストンガイド５１の下端中空部に中空液ピストン５２の中空筒部５２Ａを嵌合固定し、液ピストン５２の外周ピストン部５２Ｂをシリンダ３０の小径部３０Ｂの内壁に摺動可能に挿入し、小径部３０Ｂの下端側ばね受け部３３及び後述するポペット６０の下端バルブ６２の上端面と液ピストン５２との間に圧縮コイルばね５３を介装している。即ち、頭部４０を往動して押しているときには、圧縮コイルばね５３の下端部が小径部３０Ｂの下端側ばね受け部３３に支持されるとともに、ポペット６０の下端バルブ６２の上端面は圧縮コイルばね５３の下端部から離れる。頭部４０から手を離して復動したときには、圧縮コイルばね５３の下端部が小径部３０Ｂの下端側ばね受け部３３に支持されるとともに、ポペット６０の下端バルブ６２の上端面は圧縮コイルばね５３の下端部に接する。噴霧器１０は、ピストンガイド５１と液ピストン５２の中空部を液室Ｌから延在する液吐出路５４とし、ピストンガイド５１における液吐出路５４の上端側中間部には上端側弁座５１Ａが設けられ、弁座５１Ａには液吐出路５４からの圧力によって開くボール弁５５（逆止弁）が密接して載置される。
【００１３】
噴霧器１０は、シリンダ３０の小径部３０Ｂから液ピストン５２、ピストンガイド５１に沿って延在するポペット６０を有し、ポペット６０の上端部６１をピストンガイド５１及び液ピストン５２の内周に摩擦嵌合し、ポペット６０の下端バルブ６２を小径部３０Ｂの下端側弁座３４に接離可能に密接して配置し、容器本体１の内部に対して液室Ｌを開閉する。ポペット６０の外周溝と液ピストン５２の内周との間、更にはピストンガイド５１の内周溝との間が前述の液吐出路５４とされる。ポペット６０は下端側の一部において圧縮コイルばね５３の中心部に延在する。ポペット６０の下端バルブ６２は液ピストン５２により収縮されて加圧される液室Ｌの液圧及びポペット６０の上端部６１とピストンガイド５１との摩擦抵抗により下端側弁座３４（小径部３０Ｂの下端に形成された縮径領域）に押圧されて閉じ状態とされる。液室Ｌが最大拡張端にある図１の初期状態で、圧縮コイルばね５３はポペット６０が上方へ移動しない程度に下端バルブ６２の上端面に接している。
【００１４】
噴霧器１０は、頭部４０の上下の往復動に連動して液室Ｌ内を上下動するピストンガイド５１及び液ピストン５２を有し、ポペット６０の下端バルブ６２がピストンガイド５１及び液ピストン５２の上動に連動して下端側弁座３４から離れ、かつ液ピストン５２の上動により拡張される液室Ｌにディップチューブ３２を介して容器本体１の内容液を吸入し、ポペット６０の下端バルブ６２がピストンガイド５１及び液ピストン５２の下動に連動して下端側弁座３４に接し、かつ液ピストン５２の下動により収縮される液室Ｌの内容液を液吐出路５４経由で弁座５１Ａと離れて開かれたボール弁５５から後述する気液混合部８０に吐出する。
【００１５】
即ち、噴霧器１０は、頭部４０の上下の往復動に連動して液室Ｌ内を上下動する液ピストン５２を有し、頭部４０が上動（復動）する吸入行程で液ピストン５２の上動により拡張される液室Ｌに容器本体１に収容されている内容液を吸入し、頭部４０が押込下動（往動）される吐出行程で液ピストン５２の下動により収縮される液室Ｌの内容液を後述する気液混合部８０に吐出する。
【００１６】
噴霧器１０は、頭部４０の上下の往復動に連動するエアピストン７０の中空筒部７０Ａがピストンガイド５１の外周に対し軸方向に沿う一定長さ範囲だけ相対移動可能に遊挿され、エアピストン７０のピストン部７０Ｂの外周リング部７０Ｃをシリンダ３０の大径部３０Ａの内壁に摺動自在に挿入し、シリンダ３０の内部のエアピストン７０の正面側（頭部４０に対する反対側）に該エアピストン７０により拡縮される空気室Ａを形成する。本実施例では、頭部４０のステム４１の下端段差状内周孔にエアピストン７０の筒部７０Ａの上端部を挿入し、頭部４０を図１の初期状態から僅かに下動させたときに、ステム４１の内周孔の段差面がエアピストン７０の筒部７０Ａの上端面に突き当たる一定の時間差の後、頭部４０（ピストンガイド５１、液ピストン５２も一体）の下動によりエアピストン７０も下動させる。従って、エアピストン７０はピストンガイド５１の外周に沿ってピストンガイド５１の中間フランジ部５１Ｂに衝合するまで僅かに上下相対移動可能にし、それらの間に後述する空気送出口７３Ａを形成可能にする（図３、図４）。
【００１７】
噴霧器１０は、エアピストン７０の空気室Ａに対する裏側に外気取り込み室７１を設け、頭部４０のステム４１とキャップ２０の筒部２０Ｂの間の微小環状間隙を外気取り込み室７１への外気取り込み路７１Ａとしている。噴霧器１０は、外気取り込み室７１と空気室Ａを連通する空気の吸入口７２Ａ（図３、図４）をエアピストン７０のピストン部７０Ｂに設け、空気の吸入口７２Ａを開閉して外気取り込み室７１から空気室Ａへの空気の吸入を許容する吸入チェック弁７２をエアピストン７０のピストン部７０Ｂにおいて空気室Ａに臨む側に設ける。
【００１８】
噴霧器１０は、ピストンガイド５１の外周溝とエアピストン７０の筒部７０Ａの内周との間から、更にピストンガイド５１の外周とステム４１の内周溝との間に連続する上下に続く空気送出路７３を設け、ピストンガイド５１の中間フランジ部５１Ｂとエアピストン７０の筒部７０Ａの下端とが空気送出口７３Ａを開閉する開閉弁７４を形成する。開閉弁７４は、頭部４０の下動時に頭部４０とともに下動するピストンガイド５１の中間フランジ部５１Ｂをエアピストン７０の筒部７０Ａの下端から離隔させてそれらの間に空気送出口７３Ａを開き（図３、図４）、頭部４０の上動時に該頭部４０とともに上動するピストンガイド５１の中間フランジ部５１Ｂをエアピストン７０の筒部７０Ａの下端に下から衝合させてそれらの下端間の空気送出口７３Ａを閉じる（図１、図２）。
【００１９】
即ち、噴霧器１０は、頭部４０の上下の往復動に連動して空気室Ａ内を上下動するエアピストン７０を有し、頭部４０が上動する吸入行程でエアピストン７０の上動により拡張される空気室Ａに外部の空気を吸入し、頭部４０が押込下動される吐出行程でエアピストン７０の下動により収縮される空気室Ａの空気を後述する気液混合部８０に送出する。
【００２０】
噴霧器１０は、ピストンガイド５１に設けた液吐出路５４の最上流部であって、頭部４０に設けた吐出管路４２と、頭部４０のステム４１の内周とピストンガイド５１の外周の間に設けた空気送出路７３の会合領域を気液混合部８０としている。液吐出路５４から吐出される内容液が気液混合部８０で、空気送出路７３から送出される空気と混合されて霧化され、前述の霧状内容液になる。
【００２１】
このとき、液吐出路５４と気液混合部８０の間に気液混合板８１が設けられる。気液混合板８１は、図２に示す如く、頭部４０のステム４１とピストンガイド５１との嵌合部に設けられる。気液混合板８１は、図７に示す如く、下端筒部８１Ａをピストンガイド５１の上端開口に嵌入されるとともに、中間フランジ部８１Ｂをピストンガイド５１の上端面と頭部４０の吐出管路４２まわりの段差面とに挟着され、上端外周部８１Ｃを頭部４０の吐出管路４２の下端開口に嵌入される。
【００２２】
気液混合板８１は、液吐出路５４と気液混合部８０を仕切る板面内に複数個（本実施例では４個）の液流通孔８２を備える。液吐出路５４から吐出される内容液は気液混合板８１の液流通孔８２を通って気液混合部８０に供給される。そして、液流通孔８２の合計の孔面積を液吐出路５４の流路面積の1／10〜4／10とする。
【００２３】
気液混合板８１は、中間フランジ部８１Ｂの上面から上端外周部８１Ｃの外周面に渡る板外周に複数個（本実施例では８個）の空気流通溝８３を備える。空気送出路７３から送出される空気は、気液混合板８１の空気流通溝８３を通って気液混合板８１の板外周から気液混合部８０に噴出し、気液混合板８１の板面内に位置する液流通孔８２に負圧を及ぼし、液吐出路５４から吐出される内容液を液流通孔８２から気液混合部８０に引き出す。
【００２４】
気液混合部８０は、気液混合板８１の液流通孔８２から供給される内容液が、空気流通溝８３から噴出する空気により引き出されるとともに、その空気と撹拌（乱流の付与）混合されて霧状にされる。気液混合部８０における内容液と空気の混合割合は、空気100mlに対して内容液を0.5ml〜2.5mlとし、より好適には空気100mlに対して内容液を0.8ml〜1.5mlとする。
【００２５】
尚、噴霧器１０は、気液混合部８０から頭部４０の吐出口４３に連なる吐出管路４２を、吐出口４３に向けて段階的（本実施例では、気液混合部８０を形成する大径路４２Ａ、大径路４２Ａに連なる中経路４２Ｂ、中経路４２Ｂに連なる小径路４２Ｃ、小径路４２Ｃを吐出口４３に連通する細経路４２Ｄの４段階）に縮径する。
【００２６】
また、噴霧器１０は、頭部４０の吐出口４３が設けられる先端面に、スピンエレメント４４を設けてある。スピンエレメント４４は、図８に示す如く、吐出口４３を中心部に設け、吐出管路４２に臨む端面における吐出口４３まわりに複数個（本実施例では３個）の渦巻き溝４４Ａを設ける。
【００２７】
尚、噴霧器１０は、エアピストン７０の裏側に設けた前述の外気取り込み室７１をシリンダ３０の大径部３０Ａの上端側に穿設した空気導入口９１を介して容器本体１の内部と連通可能にしている。噴霧器１０の初期状態（図１、図２）で、空気導入口９１はエアピストン７０のピストン部７０Ｂのリング部７０Ｃによりカバーされて外気取り込み室７１に対し閉じられ、頭部４０の上下の往復動時に、空気導入口９１はエアピストン７０のピストン部７０Ｂのリング部７０Ｃによるカバーが外れて外気取り込み室７１に対し開口され、かつ空気導入口９１は、空気室Ａとは常時遮断される。
【００２８】
しかるに、噴霧器１０にあっては、頭部４０の吐出口４３における内容液の乾燥固化を防止するため、液室Ｌから気液混合部８０への内容液の供給が終了した後も、空気室Ａから気液混合部８０への空気の供給が行なわれるように構成している。頭部４０の吐出口４３から霧状内容液の吐出が終了したときに該頭部４０の吐出管路４２〜吐出口４３に残留する内容液を、その後、気液混合部８０から噴出されて頭部４０の吐出管路４２〜吐出口４３を通過する空気により外部へと吹飛ばし除去するものである。具体的には以下の通りである。
【００２９】
噴霧器１０は、図１〜図６に示す如く、ピストンガイド５１の内周に設けられる液吐出路５４の導通を遮断する液止め部１０１を備える。本実施例において、液止め部１０１はポペット６０の上端部６１の上端面中心部に立設される棒状の上端液止め部１０１からなる。上端液止め部１０１は液吐出路５４に設けてあるボール弁５５により開閉されるピストンガイド５１の上端側弁座５１Ａの流路１０２に嵌合して該液吐出路５４の導通を遮断するものになる。上端液止め部１０１は流路１０２の内径と同一の外径を備え、流路１０２に液密に嵌合する。
【００３０】
即ち、図３、図４〜図５、図６に示す如く、頭部４０が押し込まれて下動（往動）し、空気室Ａの空気が頭部４０のステム４１の内周とピストンガイド５１の外周の間に設けた空気送出路７３を経由して気液混合部８０に供給され、かつ液室Ｌの内容液がピストンガイド５１に設けた液吐出路５４から経由して気液混合部８０に供給されている過程で、頭部４０が下動端側に達するとき、頭部４０とともに下動し続けるピストンガイド５１の上端側弁座５１Ａの流路１０２に、シリンダ３０の小径部３０Ｂの下端側弁座３４に当たって制止されているポペット６０の上端液止め部１０１が嵌合するに至る。これにより、ポペット６０の上端液止め部１０１はピストンガイド５１の上端側弁座５１Ａの流路１０２を閉塞し、空気送出路７３と液吐出路５４の導通のうち、液吐出路５４の導通だけを遮断するものになり、液室Ｌから液吐出路５４を経由する気液混合部８０への内容液の供給を終了する。この後、空気送出路７３の導通はなお維持されているから、空気室Ａから空気送出路７３を経由する気液混合部８０への空気の供給が継続される。
【００３１】
噴霧器１０は以下の如く動作する。
（動作１）
(1)図１、図２の初期状態から頭部４０を押すと最初に頭部４０と一体となって、ピストンガイド５１、ピストン５２、ポペット６０が下へ下がる。
【００３２】
(2)ポペット６０の下端バルブ６２がシリンダ３０の小径部３０Ｂの下端側に設けられた下端側弁座３４に当たり、液室Ｌを閉じる。
【００３３】
(3)エアピストン７０はこの時点では動かないため（頭部４０とエアピストン７０の上端の隙間が狭くなる）、エアピストン７０の筒部７０Ａの下端とピストンガイド５１の中間フランジ部５１Ｂの間に隙間ができ、空気室Ａの送出口７３Ａとなる。
【００３４】
（動作２）（図３、図４）
(1)頭部４０を更に押すと、頭部４０と一体となって、ピストンガイド５１、ピストン５２、エアピストン７０が下へ下がる。
【００３５】
(2)空気室Ａ内の空気は空気送出路７３を通り、液室Ｌ内の液は液吐出路５４を通り、気液混合部８０で混合されて霧状になる。霧状内容液は頭部４０の吐出管路４２を圧送されて吐出口４３から吐出される。
【００３６】
(3)頭部４０を押している途中で、エアピストン７０が塞いでいた空気室Ａの側面の空気導入口９１が開放されるため、空気が容器本体１の内部へ導入される。
【００３７】
（動作３）（図５、図６）
(1)頭部４０を更に押すと、頭部４０と一体になって下へ下がるピストンガイド５１の上端側弁座５１Ａの流路１０２に、シリンダ３０の小径部３０Ｂの下端側弁座３４に当たって制止されているポペット６０の上端液止め部１０１が嵌合し、液吐出路５４の導通が遮断される。空気送出路７３の導通は遮断されない。
【００３８】
(2)液室Ｌから液吐出路５４を経由する気液混合部８０への内容液の供給が終了し、空気室Ａから空気送出路７３を経由する気液混合部８０への空気の供給だけが継続される。これにより、気液混合部８０における霧状内容液の生成はなくなり、霧状内容液の吐出が終了した後、頭部４０の吐出管路４２、吐出口４３から空気のみが吐出される。頭部４０の吐出管路４２、吐出口４３に残留していた内容液が、空気の流れにより外部へと吹飛ばし除去される。
【００３９】
（動作４）
(1)頭部４０を押すのをやめて頭部４０から手を離すと、頭部４０と一体となって、ピストンガイド５１、ピストン５２、ポペット６０が圧縮コイルばね５３のばね力で上がる。
【００４０】
(2)ポペット６０の下端がシリンダ３０の小径部３０Ｂの下端側弁座３４から離れ隙間ができ、液室Ｌを開く。
【００４１】
(3)エアピストン７０はこの時点では動かないため（頭部４０とエアピストン７０の上端の隙間が広くなる）、エアピストン７０の筒部７０Ａの下端とピストンガイド５１の中間フランジ部５１Ｂの隙間が閉じ、空気送出口７３Ａが閉じられる。
【００４２】
（動作５）
(1)頭部４０が更に上昇すると、頭部４０と一体となって、ピストンガイド５１、ピストン５２、エアピストン７０が上昇する。ピストンガイド５１の上端側弁座５１Ａの流路１０２が、コイルばね５３のばね力で上方への移動を制限されているポペット６０の上端液止め部１０１から抜け出る。
【００４３】
(2)空気室Ａ内は負圧となるため、吸入チェック弁７２が開き、空気吸入口７２Ａを通り空気室Ａ内へ空気が吸入される。また、液室Ｌ内も負圧となるため、容器本体１内の内容液がディップチューブ３２を通って液室Ｌへ導入される。
【００４４】
(3)図１の初期状態に戻る。
【００４５】
本実施例によれば以下の作用効果を奏する。
(a)噴霧器１０による液室Ｌから気液混合部８０への内容液の供給が終了し、霧状内容液の吐出が終了した後も、空気室Ａから気液混合部８０への空気の供給を行なう。従って、霧状内容液の吐出が終了したときに頭部４０の吐出管路４２〜吐出口４３に残留する内容液は、その後、気液混合部８０から送出されて頭部４０の吐出管路４２〜吐出口４３を通過する空気により外部へと吹飛ばし除去される。これにより、霧状内容液の吐出終了後に、頭部４０の外気に接している吐出口４３における内容液の残留、ひいてはその乾燥固化を防止し、吐出口４３のつまりを生ずることなく、霧状内容液の繰り返し吐出性を確保することができる。
【００４６】
(b)頭部４０の押し込みにより、空気室Ａの空気が空気送出路７３を経由して気液混合部８０に供給され、かつ液室Ｌの内容液が液吐出路５４を経由して気液混合部８０に供給されている過程で、液吐出路５４の導通だけを液止め部１０１が遮断し、液室Ｌから気液混合部８０への内容液の供給が終了した後も、空気室Ａから気液混合部８０への空気の供給が行なわれる。従って、空気室Ａから気液混合部８０への空気の供給を継続しながら、液止め部１０１により液吐出路５４を遮断し、内容液を気液混合部８０の手前で止めることにより、簡易かつ確実に、上述(a)の「液室Ｌから気液混合部８０への内容液の供給が終了し、霧状内容液の吐出が終了した後も、空気室Ａから気液混合部８０への空気の供給を行なう」を実現できる。
【００４７】
(c)上述(b)の液止め部１０１が、ポペット６０の上端液止め部１０１からなり、液吐出路５４に設けてあるボール弁５５により開閉される上端側弁座５１Ａの流路１０２に該上端液止め部１０１が嵌合してその導通を遮断するものとすることにより、液止め部１０１による液吐出路５４の遮断の簡易を図ることができる。
【００４８】
(d)乾燥固化し易い高分子を含む内容液を取り扱う噴霧器１０において、上述(a)〜(c)を実現できる。
【００４９】
尚、本実施例によれば以下の作用効果も奏する。
(e)液吐出路５４と気液混合部８０の間に気液混合板８１を設け、この気液混合板８１の板面内に複数個の液流通孔８２を備え、液流通孔８２の合計の孔面積を液吐出路５４の流路面積の1／10〜4／10とした。これにより、液吐出路５４から気液混合板８１の液流通孔８２を通って気液混合部８０に噴出する内容液に適度な流速を与えることができる。この内容液は気液混合部８０で空気とよく混合され、微細な噴霧粒子になって頭部４０の吐出口４３から吐出される。
【００５０】
(f)気液混合部８０における内容液と空気の混合割合が、空気100mlに対して内容液を0.5ml〜2.5mlとし、より好適には空気100mlに対して内容液を0.8ml〜1.5mlとすることにより、液吐出路５４から気液混合板８１の液流通孔８２を通って気液混合部８０に噴出する内容液に一層適度な流速を与えることができる。
【００５１】
(g)気液混合板８１の板外周に複数個の空気流通溝８３を備える。気液混合板８１の板面内の液流通孔８２から噴出する内容液が、気液混合板８１の板外周の空気流通溝８３から噴出する空気により気液混合部８０に引き出されて霧化される。
【００５２】
気液混合部８０から頭部４０の吐出口４３に連なる吐出管路４２の流路面積が吐出口４３に向けて徐々に縮径されることにより、気液混合部８０で霧化された霧状内容液の流速を吐出管路４２で徐々に上げ、頭部４０の吐出口４３から高圧吐出できる。
【００５３】
頭部４０にスピンエレメント４４を設け、スピンエレメント４４の中心部に吐出口４３を設け、スピンエレメント４４の吐出管路４２に臨む端面における吐出口４３まわりに複数の渦巻き溝４４Ａを設けることにより、吐出管路４２で高速化された霧状内容液がスピンエレメント４４の渦巻き溝４４Ａで渦巻き状に高速回転され、頭部４０の吐出口４３から円錐状をなして高圧吐出される。
【００５４】
（実施例２）（図９〜図１４）
実施例２の噴霧器１０が実施例１におけると異なる点は、図９、図１０に示す如く、ピストンガイド５１の内周に設けた液吐出路５４の導通を遮断する手段が、ポペット６０の上端部６１の上端面中心部に立設される棒状の上端液止め部２０１と、ボール弁５５に付帯させた液止め弁２０２とにより構成されたことにある。
【００５５】
即ち、上端液止め部２０１は液吐出路５４に設けてあるボール弁５５により開閉されるピストンガイド５１の上端側弁座５１Ａの流路２０３に挿入（遊挿でも可）され、ボール弁５５を上端側弁座５１Ａから持ち上げる。そして、液止め弁２０２はボール弁５５の上面に載置され、上下方向に弾性的に圧縮変形可能にされるとともに、上端側弁座５１Ａから上述の如くに持ち上げられるボール弁５５により気液混合板８１の側に上動されたとき、気液混合板８１の液吐出路５４に臨んでいる下端開口（下端筒部８１Ａの内径）に押圧されてこれを閉塞する。これにより、液止め弁２０２は液吐出路５４の気液混合部８０寄りの流路（気液混合板８１の液流通孔８２）を閉塞してその導通を遮断するものになる。
【００５６】
即ち、図１１、図１２〜図１３、図１４に示す如く、頭部４０が押し込まれて下動（往動）し、空気室Ａの空気が頭部４０のステム４１の内周とピストンガイド５１の外周の間に設けた空気送出路７３を経由して気液混合部８０に供給され、かつ液室Ｌの内容液がピストンガイド５１に設けた液吐出路５４から経由して気液混合部８０に供給されている過程で、頭部４０が下動端側に達するとき、頭部４０とともに下動し続けるピストンガイド５１の上端側弁座５１Ａの流路２０３にシリンダ３０の小径部３０Ｂの下端側弁座３４に当たって制止されているポペット６０の上端液止め部２０１が挿入するに至る。これにより、ポペット６０の上端液止め部２０１はボール弁５５を上端側弁座５１Ａから持ち上げ、ボール弁５５の上面に載置されている液止め弁２０２を気液混合板８１の側に上動し、液止め弁２０２により液吐出路５４に臨んでいる気液混合板８１の下端開口を閉塞する。従って、空気送出路７３と液吐出路５４の導通のうち、液吐出路５４の導通だけを遮断するものになり、液室Ｌから液吐出路５４を経由する気液混合部８０への内容液の供給を終了する。この後、空気送出路７３の導通はなお維持されているから、空気室Ａから空気送出路７３を経由する気液混合部８０への空気の供給が継続される。
【００５７】
噴霧器１０は以下の如く動作する。
（動作１）
(1)図９、図１０の初期状態から頭部４０を押すと最初に頭部４０と一体となって、ピストンガイド５１、ピストン５２、ポペット６０が下へ下がる。
【００５８】
(2)ポペット６０の下端バルブ６２がシリンダ３０の小径部３０Ｂの下端側に設けられた下端側弁座３４に当たり、液室Ｌを閉じる。
【００５９】
(3)エアピストン７０はこの時点では動かないため（頭部４０とエアピストン７０の上端の隙間が狭くなる）、エアピストン７０の筒部７０Ａの下端とピストンガイド５１の中間フランジ部５１Ｂの間に隙間ができ、空気室Ａの送出口７３Ａとなる。
【００６０】
（動作２）（図１１、図１２）
(1)頭部４０を更に押すと、頭部４０と一体となって、ピストンガイド５１、ピストン５２、エアピストン７０が下へ下がる。
【００６１】
(2)空気室Ａ内の空気は空気送出路７３を通り、液室Ｌ内の液は液吐出路５４を通り、気液混合部８０で混合されて霧状になる。霧状内容液は頭部４０の吐出管路４２を圧送されて吐出口４３から吐出される。
【００６２】
(3)頭部４０を押している途中で、エアピストン７０が塞いでいた空気室Ａの側面の空気導入口９１が開放されるため、空気が容器本体１の内部へ導入される。
【００６３】
（動作３）（図１３、図１４）
(1)頭部４０を更に押すと、頭部４０と一体になって下へ下がるピストンガイド５１の上端側弁座５１Ａの流路２０３に、シリンダ３０の小径部３０Ｂの下端側弁座３４に当たって制止されているポペット６０の上端液止め部２０１が挿入され、上端液止め部２０１により持ち上げられるボール弁５５及び液止め弁２０２が液吐出路５４に臨んでいる気液混合板８１の下端開口を閉塞し、液吐出路５４の導通が遮断される。空気送出路７３の導通は遮断されない。
【００６４】
(2)液室Ｌから液吐出路５４を経由する気液混合部８０への内容液の供給が終了し、空気室Ａから空気送出路７３を経由する気液混合部８０への空気の供給だけが継続される。これにより、気液混合部８０における霧状内容液の生成はなくなり、霧状内容液の吐出が終了した後、頭部４０の吐出管路４２、吐出口４３から空気のみが吐出される。頭部４０の吐出管路４２、吐出口４３に残留していた内容液が、空気の流れにより外部へと吹飛ばし除去される。
【００６５】
（動作４）
(1)頭部４０を押すのをやめて頭部４０から手を離すと、頭部４０と一体となって、ピストンガイド５１、ピストン５２、ポペット６０が圧縮コイルばね５３のばね力で上がる。
【００６６】
(2)ポペット６０の下端がシリンダ３０の小径部３０Ｂの下端側弁座３４から離れ隙間ができ、液室Ｌを開く。
【００６７】
(3)エアピストン７０はこの時点では動かないため（頭部４０とエアピストン７０の上端の隙間が広くなる）、エアピストン７０の筒部７０Ａの下端とピストンガイド５１の中間フランジ部５１Ｂの隙間が閉じ、空気送出口７３Ａが閉じられる。
【００６８】
（動作５）
(1)頭部４０が更に上昇すると、頭部４０と一体となって、ピストンガイド５１、ピストン５２、エアピストン７０が上昇する。ピストンガイド５１の上端側弁座５１Ａの流路２０３が、コイルばね５３のばね力で上方への移動を制限されているポペット６０の上端液止め部２０１から抜け出る。
【００６９】
(2)空気室Ａ内は負圧となるため、吸入チェック弁７２が開き、空気吸入口７２Ａを通り空気室Ａ内へ空気が吸入される。また、液室Ｌ内も負圧となるため、容器本体１内の内容液がディップチューブ３２を通って液室Ｌへ導入される。
【００７０】
(3)図１の初期状態に戻る。
【００７１】
本実施例によれば、実施例１におけると実質的に同様の作用効果を奏する。特に、液止め弁２０２がピストンガイド５１の内周に設けられている液吐出路５４を、気液混合部８０との境界部（気液混合板８１）で遮断するものになるから、噴霧器１０の待機状態で液吐出路５４に残留する内容液の全てを外気の影響から遮断できる。
【産業上の利用可能性】
【００７２】
本発明によれば、噴霧器において、霧状内容液の吐出終了後に、頭部の外気に接している吐出口における内容液の残留、ひいてはその乾燥固化を防止し、吐出口のつまりを生ずることなく、霧状内容液の繰り返し吐出性を確保することができる。
【符号の説明】
【００７３】
１  容器本体
１Ａ  口部
１０  噴霧器
２０  キャップ
３０  シリンダ
３０Ａ  大径部
３０Ｂ  小径部
３２  ディップチューブ
４０  頭部
４１  ステム
４２  吐出管路
４３  吐出口
５１  ピストンガイド
５１Ａ  上端側弁座
５２  液ピストン
５５  ボール弁（逆止弁）
７３  空気送出路
８０  気液混合部
１０１  液止め部
１０２  流路
２０１  液止め部
２０２  液止め弁
２０３  流路
Ａ  空気室
Ｌ  液室
【図１】
2011200766.tif 000003
【図２】
2011200766.tif 000004
【図３】
2011200766.tif 000005
【図４】
2011200766.tif 000006
【図５】
2011200766.tif 000007
【図６】
2011200766.tif 000008
【図７】
2011200766.tif 000009
【図８】
2011200766.tif 000010
【図９】
2011200766.tif 000011
【図１０】
2011200766.tif 000012
【図１１】
2011200766.tif 000013
【図１２】
2011200766.tif 000014
【図１３】
2011200766.tif 000015
【図１４】
2011200766.tif 000016